(57)【要約】【課題】操作を簡単にする。【解決手段】自動精米装置１０では、玄米を無洗米、上白米又は標準米にする場合に、それぞれ無洗米ボタン６４Ａ、上白ボタン６４Ｂ又は標準ボタン６４Ｃを操作すればよい。このため、玄米を無洗米、上白米又は標準米にすることを即座に選択でき、操作を簡単にできる。さらに、玄米を分搗米にする場合には、分搗ボタン６４Ｄを操作する必要があるため、誤操作により玄米を分搗米にすることを抑制できる。しかも、分搗微調整ボタン６６の上昇ボタン６６Ａ又は下降ボタン６６Ｂが操作されることで、それぞれ分搗米の分搗度が徐々に上昇又は下降されるため、分搗微調整ボタン６６を簡単な構成にできると同時に、分搗米の分搗度を多段階に選択できる。【選択図】図１
2012125744.tif 000002
【特許請求の範囲】
【請求項１】
供給された玄米を精米処理して精白米又は分搗米にする精米部と、
操作されることで前記精米部が玄米を精白米にする精白操作部と、
操作されることで前記精米部が玄米を分搗米にする分搗操作部と、
操作されることで前記精米部による分搗米の分搗度が調整される調整操作部と、
を備えた自動精米装置。
【請求項２】
供給された玄米を精米処理して精白米又は分搗米にする精米部と、
操作されることで前記精米部が玄米を精白米にする精白操作部と、
操作されることで前記精米部による分搗米の分搗度が徐々に変更されて調整される調整操作部と、
を備えた自動精米装置。
【請求項３】
前記調整操作部の操作により調整された分搗米の分搗度を報知する報知手段を備えた請求項１又は請求項２記載の自動精米装置。
【発明の詳細な説明】
【技術分野】
【０００１】
本発明は、玄米を精白米又は分搗米にする自動精米装置に関する。
【背景技術】
【０００２】
下記特許文献１に記載の精米装置では、玄米が精米処理されて精白米（１０分搗以上の標準米や上白米）又は分搗米（１０分搗未満の米）にされる。さらに、選択スイッチが操作されることで、精米処理による精白度が徐々に変更されて設定される。
【０００３】
しかしながら、この精米装置では、玄米を精白米にする場合と玄米を分搗米にする場合とで、共通の選択スイッチが操作される。
【０００４】
このため、利用が多い玄米を精白米にする場合でも、精白度を微調整する要請が殆どないにも拘らず、選択スイッチの操作によって精白度を徐々に変更させて設定する必要がある。これにより、精白度の設定操作が時間を要して面倒である。
【先行技術文献】
【特許文献】
【０００５】
【特許文献１】特開２０１０−１６２４６６号公報
【発明の概要】
【発明が解決しようとする課題】
【０００６】
本発明は、上記事実を考慮し、操作を簡単にできる自動精米装置を得ることが目的である。
【課題を解決するための手段】
【０００７】
請求項１に記載の自動精米装置は、供給された玄米を精米処理して精白米又は分搗米にする精米部と、操作されることで前記精米部が玄米を精白米にする精白操作部と、操作されることで前記精米部が玄米を分搗米にする分搗操作部と、操作されることで前記精米部による分搗米の分搗度が調整される調整操作部と、を備えている。
【０００８】
請求項２に記載の自動精米装置は、供給された玄米を精米処理して精白米又は分搗米にする精米部と、操作されることで前記精米部が玄米を精白米にする精白操作部と、操作されることで前記精米部による分搗米の分搗度が徐々に変更されて調整される調整操作部と、を備えている。
【０００９】
請求項３に記載の自動精米装置は、請求項１又は請求項２に記載の自動精米装置において、前記調整操作部の操作により調整された分搗米の分搗度を報知する報知手段を備えている。
【発明の効果】
【００１０】
請求項１に記載の自動精米装置では、精米部が供給された玄米を精米処理して精白米又は分搗米にする。
【００１１】
また、精白操作部が操作されることで、精米部が玄米を精白米にする。さらに、分搗操作部が操作されることで、精米部が玄米を分搗米にすると共に、調整操作部が操作されることで、精米部による分搗米の分搗度が調整される。
【００１２】
ここで、上述の如く、玄米を精白米にする場合には、精白操作部を操作すればよい。このため、玄米を精白米にすることを即座に選択でき、操作を簡単にすることができる。
【００１３】
さらに、玄米を分搗米にする場合には、分搗操作部を操作する必要がある。このため、誤操作により精米部が玄米を分搗米にすることを抑制できる。
【００１４】
請求項２に記載の自動精米装置では、精米部が供給された玄米を精米処理して精白米又は分搗米にする。
【００１５】
また、精白操作部が操作されることで、精米部が玄米を精白米にする。さらに、調整操作部が操作されることで、精米部による分搗米の分搗度が徐々に変更されて調整される。
【００１６】
ここで、上述の如く、玄米を精白米にする場合には、精白操作部を操作すればよい。このため、玄米を精白米にすることを即座に選択でき、操作を簡単にすることができる。
【００１７】
さらに、調整操作部を操作することで、分搗米の分搗度が徐々に変更される。このため、調整操作部が多数の操作部を有しなくても、分搗米の分搗度を多段階に調整でき、調整操作部を簡単な構成にできると同時に、分搗米の分搗度を多段階に調整できる。
【００１８】
請求項３に記載の自動精米装置では、調整操作部の操作により調整された分搗米の分搗度を報知手段が報知する。このため、調整操作部の操作により分搗米の分搗度を容易に調整できる。
【図面の簡単な説明】
【００１９】
【図１】本発明の第１の実施の形態に係る自動精米装置の操作パネルを示す正面図である。
【図２】本発明の第１の実施の形態に係る自動精米装置の全体構成を示す模式図である。
【図３】本発明の第１の実施の形態に係る自動精米装置の主要部を示すブロック図である。
【図４】本発明の第１の実施の形態の変形例に係る自動精米装置の操作パネルを示す正面図である。
【図５】本発明の第２の実施の形態に係る自動精米装置の操作パネルを示す正面図である。
【図６】本発明の第２の実施の形態の変形例に係る自動精米装置の操作パネルを示す正面図である。
【発明を実施するための形態】
【００２０】
［第１の実施の形態］
図２には、本発明の第１の実施の形態に係る自動精米装置１０の全体構成が模式図にて示されており、図３には、自動精米装置１０の主要部がブロック図にて示されている。
【００２１】
図２に示す如く、本実施の形態に係る自動精米装置１０は、操作室１２Ａと機械室１２Ｂから成る屋外用建物１２を備えている。操作室１２Ａの前面壁１３に、原料米としての米粒（籾Ｍ又は玄米Ｇ）が投入される投入部としての張込みホッパ１４が操作室１２Ａに露出した状態で設けられている。張込みホッパ１４は米粒搬送用のスクリューコンベア１５を内蔵しており、さらに、機械室１２Ｂ内に配置された昇降機１６に連結されている。昇降機１６は、張込みホッパ１４へ投入されスクリューコンベア１５によって供給された米粒を機械室１２Ｂの上部へ持ち上げ搬送できる。
【００２２】
スクリューコンベア１５の昇降機１６側の端部には、判別手段としてのカラーラインセンサ４０が設けられている。カラーラインセンサ４０は、張込みホッパ１４へ投入されてスクリューコンベア１５によって搬送された米粒が籾Ｍであるか又は玄米Ｇであるかを判別する。
【００２３】
昇降機１６の上端部に設けられた放出口１６Ａには、供給手段としての切換弁１７が取り付けられている。この切換弁１７は、作動する（切り換わる）ことにより、米粒の供給方向を変更することができる。すなわち、スクリューコンベア１５によって搬送された米粒が籾Ｍであるとカラーラインセンサ４０が判別した際には、昇降機１６によって持ち上げ搬送された籾Ｍを切換弁１７が後述する籾摺機１８へ供給する。一方、スクリューコンベア１５によって搬送された米粒が玄米Ｇであるとカラーラインセンサ４０が判別した際には、昇降機１６によって持ち上げ搬送された玄米Ｇを切換弁１７が後述する石抜き機２０へ供給する。
【００２４】
機械室１２Ｂ内の昇降機１６の側方には、脱ぷ部としての籾摺機１８が昇降機１６の放出口１６Ａに対応して配置されており、昇降機１６によって持ち上げ搬送された籾Ｍが切換弁１７によって籾摺機１８へ供給される。籾摺機１８は、一対のゴムロール機構を備えたロール式とされており、籾摺機１８は、供給された籾Ｍを脱ぷ処理して玄米Ｇにする。なお、この籾摺機１８は、他の形式のもの例えば、高速回転羽を備えた衝撃式の遠心脱ぷ機であっても差し支えない。
【００２５】
籾摺機１８の側方には、石抜き部としての石抜き機２０が配置されており、籾摺機１８の排出口１８Ａに対応している。このため、籾摺機１８を経由した後の玄米Ｇは石抜き機２０へ供給されるようになっている。さらに、この石抜き機２０は、前述の切換弁１７にも連結されており、昇降機１６によって持ち上げ搬送された玄米Ｇが切換弁１７によって直接（籾摺機１８を介さないで）石抜き機２０に供給される。また、玄米Ｇが石抜き機２０を経由することで、玄米Ｇ中に含まれる小石が選別除去される。
【００２６】
また、機械室１２Ｂ内には、精米部を構成する精米機２２が配置されており、石抜き機２０を経由後の玄米Ｇが精米機２２に供給されるようになっている。精米機２２は、精白ロールを備えた縦型円筒摩擦式とされており、精米機２２は、玄米Ｇを白度（精白度）を調整しつつ精米処理して精白米としての白米Ｈ（１０分搗である標準米や１０分搗を越えた上白米）又は分搗米Ｂ（１０分搗未満の米）にする。なおこの精米機２２は、他の形式のもの例えば、横型円筒式のものや、循環機構を備えた循環式のもの、あるいは金剛砥石ロールを備えた研削式のものであっても差し支えない。
【００２７】
精米機２２の側方には糠回収機２４が配置されており、糠回収機２４は、玄米Ｇの精米処理の際に発生する米糠を回収し糠袋２５に集積できる。この糠袋２５は自由に取り替えることが可能である。
【００２８】
精米機２２の放出口２２Ａには、変更手段としての供給弁４６が取り付けられている。この供給弁４６は、作動する（切り換わる）ことにより、白米Ｈ又は分搗米Ｂの供給方向を変更することができる。すなわち、精米機２２が玄米Ｇを白米Ｈにした際には、白米Ｈを精白米としての所謂簡易の無洗米ＫＭ（白度が上白米を越えた米であり水でさっと軽く洗うだけで炊飯できる米）にする場合に白米Ｈを供給弁４６が後述する研米機３８に供給する一方、白米Ｈを無洗米ＫＭにしない場合に白米Ｈを供給弁４６が後述する昇降機４２に供給する。また、精米機２２が玄米Ｇを分搗米Ｂにした際には、分搗米Ｂを供給弁４６が昇降機４２に供給する。
【００２９】
さらに、供給弁４６の下流側には、精米部を構成する研米機３８が配置されている。この研米機３８は、供給弁４６によって供給された白米Ｈを更に研いで（精米処理して）この白米Ｈの表面に付着している糠粉を取り除き、光沢のあるきれいな無洗米ＫＭとすることができる。なお、研米機３８としては種々の形式のものが適用可能であるが、乾式タイプのものであれば、研米処理を白米同士の研磨作用によって行う摩擦式のタイプや研米処理をブラシによって行うブラシ式のタイプのものであっても適用できる。
【００３０】
また、この研米機３８によって取り除かれた糠粉は、前述した糠回収機２４によって回収され糠袋２５に集積される。
【００３１】
また一方、機械室１２Ｂ内には、研米機３８によって研米された無洗米ＫＭの放出口３８Ａに対応して昇降機４２が立設されており、昇降機４２には、放出口３８Ａから放出された無洗米ＫＭが供給される。さらに、この昇降機４２は、前述の供給弁４６にも連結されており、昇降機４２には、精米機２２の放出口２２Ａから放出された白米Ｈ又は分搗米Ｂが供給弁４６によって直接（研米機３８を介さないで）供給される。昇降機４２は、供給される無洗米ＫＭ、白米Ｈ又は分搗米Ｂを、機械室１２Ｂの上側へ持ち上げ搬送する。
【００３２】
また、機械室１２Ｂ内には、昇降機４２の上部に設けられた放出口４２Ａに対応して砕粒選別機４４が配置されており、砕粒選別機４４には、昇降機４２の放出口４２Ａから放出された無洗米ＫＭ、白米Ｈ又は分搗米Ｂが供給される。砕粒選別機４４は、供給された無洗米ＫＭ中、白米Ｈ中又は分搗米Ｂ中に含まれる砕粒や糠玉（米糠や糠粉の塊）を選別除去する。
【００３３】
また、砕粒選別機４４の排出樋４４Ａに対応した操作室１２Ａの前面壁１３には、集積タンク２６が操作室１２Ａに露出した状態で配置されている。集積タンク２６には排出樋４４Ａが臨んでおり、集積タンク２６は、砕粒選別機４４の排出樋４４Ａから排出された無洗米ＫＭ、白米Ｈ又は分搗米Ｂを袋２７に集積する。
【００３４】
一方、操作室１２Ａの前面壁１３の張込みホッパ１４の上方には操作パネル２８が配置されている。図１に示す如く、操作パネル２８の左側部にはコイン金額識別部３０及びカード度数識別部３２が設けられている。コイン金額識別部３０では、操作パネル２８に開口する投入口３４が設けられており、投入口３４に所定のコイン（例えば、１００円硬貨）が投入でき、当該コインをコイン金額識別部３０が識別可能である。一方、カード度数識別部３２では、操作パネル２８に開口する挿入口３６が設けられており、挿入口３６に所定のカード（例えば、所謂クローズド型のプリペイドカード）が挿入でき、当該カードをカード度数識別部３２が識別可能である。これらのコイン金額識別部３０及びカード度数識別部３２は後述する制御装置５０に接続されている。
【００３５】
操作パネル２８の右側部には、白度設定装置６２が設けられている。白度設定装置６２の下側部には、米粒の白度を選択するための白度選択ボタン６４が設けられている。白度選択ボタン６４は、精白操作部としての無洗米ボタン６４Ａ、上白ボタン６４Ｂ及び標準ボタン６４Ｃと分搗操作部としての分搗ボタン６４Ｄとから構成されており、無洗米ボタン６４Ａ、上白ボタン６４Ｂ、標準ボタン６４Ｃ及び分搗ボタン６４Ｄは、左側から右側へ向けてこの順で配置されている。無洗米ボタン６４Ａ、上白ボタン６４Ｂ、標準ボタン６４Ｃ及び分搗ボタン６４Ｄは、それぞれ、操作（押圧操作）可能にされると共に、後述する制御装置５０に接続されている。
【００３６】
また、白度設定装置６２には、分搗ボタン６４Ｄの右側において、調整操作部としての分搗微調整ボタン６６が設けられている。分搗微調整ボタン６６は、上昇操作部としての左側の上昇ボタン６６Ａと下降操作部としての右側の下降ボタン６６Ｂとから構成されており、上昇ボタン６６Ａ及び下降ボタン６６Ｂは、それぞれ、操作（押圧操作）可能にされると共に、後述する制御装置５０に接続されている。
【００３７】
さらに、白度設定装置６２の上側部には、報知手段（表示手段）としての液晶表示画面６８が設けられており、液晶表示画面６８は、後述する制御装置５０に接続されている。分搗ボタン６４Ｄが操作された際には、液晶表示画面６８に分搗表示７０が表示されて、分搗米Ｂの分搗度が報知される。すなわち、分搗表示７０では、上側に案内表示７２が表示されて、分搗米Ｂの分搗度が上昇することを表す左側の「白←」の文字表示と分搗米Ｂの分搗度が下降することを表す右側の「→黒」の文字表示とが表示される。分搗表示７０では、下側に文字表示７４が表示されて、右側から左側へ向かうに従い上昇する分搗米Ｂの分搗度が文字で表示される。分搗表示７０では、案内表示７２と文字表示７４との間において、調整表示７６が表示されて、分搗米Ｂの分搗度が文字表示７４の当該分搗度に対応する位置（文字表示７４の当該分搗度の上側の位置）の色彩表示（点灯表示）により表示される。
【００３８】
図３に示す如く、制御装置５０は、中央処理装置（ＣＰＵ）５２、リードオンメモリ（ＲＯＭ）５４、ランダムアクセスメモリ（ＲＡＭ）５６、入力ポート５８、出力ポート６０を含んで構成されている。入力ポート５８には前述のコイン金額識別部３０、カード度数識別部３２、カラーラインセンサ４０、白度選択ボタン６４及び分搗微調整ボタン６６が接続されている。一方、出力ポート６０には、張込みホッパ１４のスクリューコンベア１５、昇降機１６、切換弁１７、籾摺機１８、石抜き機２０、精米機２２、糠回収機２４、研米機３８、昇降機４２、砕粒選別機４４及び供給弁４６の各駆動モータと液晶表示画面６８とがそれぞれ接続されている。また、ＲＯＭ５４には、自動精米装置１０の初期状態の設定情報、精米機２２による玄米Ｇの精米処理に要する所定の時間情報（自動精米装置１０の満了作動時間の所定の値）及び所定の運転プログラムが記憶されており、この運転プログラムに従ってＣＰＵ５２が前記各部を制御する。一方、ＲＡＭ５６には、精米機２２で玄米Ｇを精米処理するために支払われた金額に応じた時間情報（言い換えれば、精米処理に要する時間情報）がＣＰＵ５２によって書き込まれるようになっており、ＣＰＵ５２は、精米機２２による精米処理の実行時に、ＲＡＭ５６に書き込まれている精米処理に要する時間情報を常に参照しながら、前記各部を制御する。
【００３９】
また、制御装置５０はタイマ機能を有しており、精米機２２による精米処理の実行時には、ＣＰＵ５２がＲＡＭ５６内の上記精米処理に要する時間情報を参照しながら精米機２２による玄米Ｇの精米処理の実際の運転時間（自動精米装置１０の作動時間）を常に計測し、この計測時間が、上記の精米処理に要する時間を経過した場合に、ＣＰＵ５２の指示によって精米機２２による玄米Ｇの精米処理を終了（自動精米装置１０の作動を満了）する。
【００４０】
次に、本実施の形態の作用を説明する。
【００４１】
上記構成の自動精米装置１０を利用する際には、張込みホッパ１４へ米粒（籾Ｍ又は玄米Ｇ）を投入すると共に、コインをコイン金額識別部３０の投入口３４に投入するか、カードをカード度数識別部３２の挿入口３６へ挿入する。
【００４２】
次いで、白度選択ボタン６４である無洗米ボタン６４Ａ、上白ボタン６４Ｂ、標準ボタン６４Ｃ及び分搗ボタン６４Ｄの何れか１つを操作して、玄米Ｇの精米処理による白度を選択する。分搗ボタン６４Ｄを操作した際には、液晶表示画面６８に分搗表示７０が表示される。さらに、分搗微調整ボタン６６である上昇ボタン６６Ａ又は下降ボタン６６Ｂを操作して、分搗米Ｂの分搗度を調整（選択）する。すなわち、上昇ボタン６６Ａを操作することで、分搗米Ｂの分搗度を上昇させ、又は、下降ボタン６６Ｂを操作することで、分搗米Ｂの分搗度を下降させる。
その後、張込みホッパ１４のスクリューコンベア１５、昇降機１６、籾摺機１８、石抜き機２０、精米機２２、糠回収機２４、研米機３８、昇降機４２及び砕粒選別機４４の各駆動モータに電流が供給されて当該各駆動モータが作動されることで、自動精米装置１０の運転が開始される。
【００４３】
自動精米装置１０の運転が開始されると、張込みホッパ１４へ投入された米粒がスクリューコンベア１５によって搬送されると共に、米粒が籾Ｍであるか又は玄米Ｇであるかをカラーラインセンサ４０が判別し、さらに、米粒が昇降機１６によって持ち上げ搬送される。
【００４４】
米粒が籾Ｍであるとカラーラインセンサ４０が判別した際には、昇降機１６によって持ち上げ搬送された籾Ｍが、切換弁１７によって籾摺機１８へ供給されて、所定時間（数秒間）脱ぷ処理されることで、脱ぷ処理後の玄米Ｇが石抜き機２０へ供給されて石抜きされる。
【００４５】
一方、米粒が玄米Ｇであるとカラーラインセンサ４０が判別した際には、昇降機１６によって持ち上げ搬送された玄米Ｇが切換弁１７によって籾摺機１８を介さずに石抜き機２０へ供給されて石抜きされる。
【００４６】
石抜き機２０によって石抜きされた玄米Ｇは、さらに精米機２２へ供給される。精米機２２では、玄米Ｇの精米処理が実施される。
【００４７】
精米機２２では、白度選択ボタン６４や分搗微調整ボタン６６の操作に対応して、精米処理の際において玄米Ｇに作用させる圧力（精米圧力）が調整されることで、玄米Ｇの精米処理による白度が調整される。すなわち、無洗米ボタン６４Ａが操作された際には、玄米Ｇが白米Ｈ（標準米又は上白米）にされ、上白ボタン６４Ｂが操作された際には、玄米Ｇが上白米（白米Ｈ）にされ、標準ボタン６４Ｃが操作された際には、標準米（白米Ｈ）にされる。さらに、分搗ボタン６４Ｄが操作された際には、玄米Ｇが分搗米Ｂにされ、かつ、分搗米Ｂが分搗微調整ボタン６６（上昇ボタン６６Ａ及び下降ボタン６６Ｂ）の操作により調整された分搗度にされる。
【００４８】
無洗米ボタン６４Ａが操作された際には、精米機２２の放出口２２Ａから放出された白米Ｈ（標準米又は上白米）が供給弁４６によって研米機３８へ供給されることで、研米機３８によって白米Ｈの表面に付着している糠粉が更に取り除かれて無洗米ＫＭにされる。その後、研米機３８の放出口３８Ａから放出された無洗米ＫＭは、昇降機４２へ供給される。
【００４９】
上白ボタン６４Ｂ、標準ボタン６４Ｃ又は分搗ボタン６４Ｄが操作された際には、精米機２２の放出口２２Ａから放出された白米Ｈ（上白米又は標準米）又は分搗米Ｂが供給弁４６によって昇降機４２へ供給される。
【００５０】
また、精米機２２及び研米機３８による精米処理の際に発生する米糠や糠粉は、糠回収機２４によって回収されて糠袋２５に集積される。
【００５１】
昇降機４２へ供給された無洗米ＫＭ、白米Ｈ（上白米又は標準米）又は分搗米Ｂは、昇降機４２によって持ち上げ搬送されて砕粒選別機４４へ供給され、砕粒選別機４４によって無洗米ＫＭ中、白米Ｈ中又は分搗米Ｂ中に含まれる砕粒や糠玉が取り除かれて、良質の無洗米ＫＭ、白米Ｈ（上白米又は標準米）又は分搗米Ｂにされる。
【００５２】
この良質の無洗米ＫＭ、白米Ｈ（上白米又は標準米）又は分搗米Ｂは、砕粒選別機４４の排出樋４４Ａから集積タンク２６へ送り出され、袋２７に集積されて、利用者に提供される。
【００５３】
以上の工程が順次実施され、投入されたコイン又は挿入されたカードに応じた所定時間（精米機２２による米粒の精米処理に要する時間）経過した後に精米機２２による精米処理が停止される。
【００５４】
ここで、利用が多い米粒（籾Ｍ又は玄米Ｇ）を無洗米ＫＭ、上白米（白米Ｈ）又は標準米（白米Ｈ）にする場合には、それぞれ白度選択ボタン６４の無洗米ボタン６４Ａ、上白ボタン６４Ｂ又は標準ボタン６４Ｃを操作すればよい。このため、米粒を無洗米ＫＭ、上白米又は標準米にすることを即座に選択でき、操作を簡単にすることができる。
【００５５】
また、米粒を無洗米ＫＭ、上白米又は標準米にする場合には、白度を微調整することができない。しかしながら、無洗米ＫＭ、上白米及び標準米の白度を微調整する要請は殆どないと共に、無洗米ＫＭ、上白米及び標準米の白度を誤って設定することがないため、不都合が発生することを抑制できる。
【００５６】
さらに、米粒（籾Ｍ又は玄米Ｇ）を分搗米Ｂにする場合には、白度選択ボタン６４の分搗ボタン６４Ｄを操作する必要がある。このため、誤操作により米粒（籾Ｍ又は玄米Ｇ）を分搗米Ｂにすることを抑制できる。
【００５７】
しかも、白度選択ボタン６４の分搗ボタン６４Ｄが操作された際には、分搗微調整ボタン６６の上昇ボタン６６Ａが操作されることで、分搗米Ｂの分搗度が徐々に（略連続的に）上昇され、又は、分搗微調整ボタン６６の下降ボタン６６Ｂが操作されることで、分搗米Ｂの分搗度が徐々に（略連続的に）下降される。このため、分搗微調整ボタン６６が多数のボタン（操作部）を有しなくても、分搗米Ｂの分搗度を多段階（略無段階）に微調整でき、分搗微調整ボタン６６を上昇ボタン６６Ａ及び下降ボタン６６Ｂのみを有する簡単な構成にできると同時に、分搗米Ｂの分搗度を多段階（略無段階）に選択できる。これにより、近年の健康志向から分搗米Ｂの分搗度を多段階に微調整する要請（分搗米Ｂにこだわりのある利用者毎に異なる分搗米Ｂの分搗度の好み）に対応することができる。
【００５８】
また、分搗微調整ボタン６６の操作により微調整された分搗米Ｂの分搗度が液晶表示画面６８に表示される。すなわち、分搗微調整ボタン６６の上昇ボタン６６Ａ又は下降ボタン６６Ｂが操作されることで、液晶表示画面６８の分搗表示７０の調整表示７６における色彩表示位置が変位されて、微調整された分搗米Ｂの分搗度が表示される。このため、分搗微調整ボタン６６の上昇ボタン６６Ａ及び下降ボタン６６Ｂの少なくとも一方の操作により分搗米Ｂの分搗度を容易に微調整できる。
【００５９】
（変形例）
図４には、本発明の第１の実施の形態の変形例に係る自動精米装置１００の操作パネル２８が正面図にて示されている。
【００６０】
図４に示す如く、本変形例に係る自動精米装置１００では、操作パネル２８の液晶表示画面６８の分搗表示７０において、調整表示７６に長尺矩形状のイメージ表示７６Ａが設けられて、右側から左側へ向かうに従い明度が高くなる色彩が表示される。さらに、調整表示７６に矩形状（矩形枠状でもよい）の変位表示７６Ｂが設けられて、分搗米Ｂの分搗度が文字表示７４の当該分搗度に対応するイメージ表示７６Ａの位置（文字表示７４の当該分搗度の上側のイメージ表示７６Ａの位置）への変位表示７６Ｂの指示表示（重合表示）により表示される。
【００６１】
このため、分搗微調整ボタン６６の上昇ボタン６６Ａ又は下降ボタン６６Ｂが操作されることで、液晶表示画面６８の分搗表示７０の調整表示７６において、イメージ表示７６Ａへの変位表示７６Ｂの指示表示位置が変位されて、微調整された分搗米Ｂの分搗度が表示される。
【００６２】
これにより、本変形例でも、上記第１の実施の形態と同様の作用及び効果を奏することができる。
【００６３】
［第２の実施の形態］
図５には、本発明の第２の実施の形態に係る自動精米装置１５０の操作パネル２８が正面図にて示されている。
【００６４】
本実施の形態に係る自動精米装置１５０は、上記第１の実施の形態と、ほぼ同様の構成であるが、以下の点で異なる。
【００６５】
図５に示す如く、本実施の形態に係る自動精米装置１５０では、操作パネル２８において、分搗微調整ボタン６６（上昇ボタン６６Ａ及び下降ボタン６６Ｂ）が設けられていない。
【００６６】
操作パネル２８の液晶表示画面６８は、所謂タッチパネルにされており、液晶表示画面６８は、制御装置５０の入力ポート５８及び出力ポート６０に接続されている。
【００６７】
操作パネル２８における白度選択ボタン６４の分搗ボタン６４Ｄが操作された際には、液晶表示画面６８に調整操作部としての分搗微調整表示１５２が表示される。分搗微調整表示１５２は、分搗表示７０の左側の上昇操作部としての上昇表示１５２Ａと分搗表示７０の右側の下降操作部としての下降表示１５２Ｂとから構成されており、上昇表示１５２Ａ又は下降表示１５２Ｂを操作（接触操作）して、分搗米Ｂの分搗度を調整（選択）する。すなわち、上昇表示１５２Ａを操作することで、分搗米Ｂの分搗度を上昇させ、又は、下降表示１５２Ｂを操作することで、分搗米Ｂの分搗度を下降させる。
【００６８】
これにより、本実施の形態でも、上記第１の実施の形態と同様の作用及び効果を奏することができる。
【００６９】
（変形例）
図６には、本発明の第２の実施の形態の変形例に係る自動精米装置２００の操作パネル２８が正面図にて示されている。
【００７０】
図６に示す如く、本変形例に係る自動精米装置２００では、操作パネル２８の液晶表示画面６８の分搗表示７０において、調整表示７６に上記第１の実施の形態の変形例と同様のイメージ表示７６Ａ及び変位表示７６Ｂが設けられる。
【００７１】
このため、分搗微調整表示１５２の上昇表示１５２Ａ又は下降表示１５２Ｂが操作されることで、液晶表示画面６８の分搗表示７０の調整表示７６において、イメージ表示７６Ａへの変位表示７６Ｂの指示表示位置が変位されて、微調整された分搗米Ｂの分搗度が表示される。
【００７２】
これにより、本変形例でも、上記第２の実施の形態と同様の作用及び効果を奏することができる。
【００７３】
なお、上記第１の実施の形態（変形例を含む）及び第２の実施の形態（変形例を含む）では、液晶表示画面６８の分搗表示７０に案内表示７２及び文字表示７４を設けた。しかしながら、液晶表示画面６８の分搗表示７０に案内表示７２及び文字表示７４の一方のみを設けてもよい。
【符号の説明】
【００７４】
１０    自動精米装置
２２    精米機（精米部）
３８    研米機（精米部）
６４Ａ  無洗米ボタン（精白操作部）
６４Ｂ  上白ボタン（精白操作部）
６４Ｃ  標準ボタン（精白操作部）
６４Ｄ  分搗ボタン（分搗操作部）
６６    分搗微調整ボタン（調整操作部）
６６Ａ  上昇ボタン（上昇操作部）
６６Ｂ  下降ボタン（下降操作部）
６８    液晶表示画面（報知手段）
１００    自動精米装置
１５０    自動精米装置
１５２    分搗微調整表示（調整操作部）
１５２Ａ  上昇表示（上昇操作部）
１５２Ｂ  下降表示（下降操作部）
２００    自動精米装置
Ｇ    玄米
Ｈ    白米（精白米）
Ｂ    分搗米
ＫＭ    無洗米（精白米）
【図１】
2012125744.tif 000003
【図２】
2012125744.tif 000004
【図３】
2012125744.tif 000005
【図４】
2012125744.tif 000006
【図５】
2012125744.tif 000007
【図６】
2012125744.tif 000008